(57)【要約】【課題】簡易な構成で、且つ、音のばらつきが小さい指向性を持った音声を出力することができる平面スピーカを提供する。【解決手段】平面状の振動膜２１と、振動膜２１の左端部から右端部の方向に沿って複数に区画されたエリア（エリアＡ１〜Ａ６）内に各々設けられたプリント配線部２２と、振動膜２１に平行な向きに磁界を発生させる磁界発生部２３と、所定の電流を複数のプリント配線２２のそれぞれに対して出力する電流出力部３と、電流出力部３により出力された電流が複数のプリント配線２２のそれぞれに入力されるタイミングを、プリント配線２２毎に制御するタイミング制御プログラム７３ｂを実行したＣＰＵ７１及び遅延回路４と、を備えるよう構成した。【選択図】図１
2008124856.tif 000002
【特許請求の範囲】
【請求項１】
平面状の振動膜と、
前記振動膜の一端部から当該一端部に対向する他端部の方向に沿って複数に区画されたエリア内に各々設けられた複数のプリント配線と、
前記振動膜に平行な向きに磁界を発生させる磁界発生部と、
所定の電流を前記複数のプリント配線のそれぞれに対して出力する電流出力部と、
前記電流出力部により出力された電流が前記複数のプリント配線のそれぞれに入力されるタイミングを、前記プリント配線毎に制御するタイミング制御手段と、
当該平面スピーカにより出力される音声の放射方向を指定する指定手段と、
前記指定手段により指定された放射方向に応じて、前記電流出力部により出力された電流が前記プリント配線に入力される際の遅延量を、前記プリント配線毎に設定する設定手段と
を備え、
前記タイミング制御手段は、当該平面スピーカにより出力される音声の放射方向が前記指定手段により指定された放射方向を向くように、前記電流出力部により前記複数のプリント配線のそれぞれに対して出力された各電流を、前記設定手段により設定された遅延量でそれぞれ遅延させて、前記複数のプリント配線のそれぞれに入力させることによって、前記電流出力部により出力された電流が前記プリント配線に入力されるタイミングを、前記プリント配線毎に制御することを特徴とする平面スピーカ。
【請求項２】
平面状の振動膜と、
前記振動膜の一端部から当該一端部に対向する他端部の方向に沿って複数に区画されたエリア内に各々設けられた複数の配線部と、
前記振動膜に平行な向きに磁界を発生させる磁界発生部と、
所定の電流を前記複数の配線部のそれぞれに対して出力する電流出力部と、
前記電流出力部により出力された電流が前記複数の配線部のそれぞれに入力されるタイミングを、前記配線部毎に制御するタイミング制御手段と、
を備えることを特徴とする平面スピーカ。
【請求項３】
請求項２に記載の平面スピーカにおいて、
当該平面スピーカにより出力される音声の放射方向を指定する指定手段を備え、
前記タイミング制御手段は、当該平面スピーカにより出力される音声の放射方向が前記指定手段により指定された放射方向を向くように、前記電流出力部により出力された電流が前記配線部に入力されるタイミングを、前記配線部毎に制御することを特徴とする平面スピーカ。
【請求項４】
請求項３に記載の平面スピーカにおいて、
前記指定手段により指定された放射方向に応じて、前記電流出力部により出力された電流が前記配線部に入力される際の遅延量を、前記配線部毎に設定する設定手段を備え、
前記タイミング制御手段は、前記電流出力部により前記複数の配線部のそれぞれに対して出力された各電流を、前記設定手段により設定された遅延量でそれぞれ遅延させて、前記複数の配線部のそれぞれに入力させることによって、前記電流出力部により出力された電流が前記配線部に入力されるタイミングを、前記配線部毎に制御することを特徴とする平面スピーカ。
【発明の詳細な説明】
【技術分野】
【０００１】
本発明は、平面スピーカに関する。
【背景技術】
【０００２】
従来、平面状の振動膜を振動させることによって音声を出力する平面スピーカが知られている。
さらに、例えば、平面状の振動板を分割振動なく一体に振動させることにより、全周波数帯域においてフラットな音圧を得ることができる平面スピーカ（例えば、特許文献１参照）、電気回路を構成するヨークと永久磁石の配置、及びボイスコイルを構成する各ワイヤの並びを変更して厚さを小さくし、且つボビンを無くすことにより、全体の厚さを低減させた平面スピーカ（例えば、特許文献２参照）、振動板の大きさや面積を大きく確保して低音域の再生能力の向上と出力音圧の増大を実現し、多様な音質と立体感のある音響を得るべく１つの振動板に複数の振動点を構成した平面スピーカ（例えば、特許文献３参照）などが提案されている。
【０００３】
ところで、例えば、病院や公的な場所の待合室などのように、特定の者に対して呼び出しなどを行いたい場合や、例えば、美術館や展示場などのように、特定の場所にいる者に対して説明などを行いたい場合のために、スピーカから出力される音声に指向性を持たせたいという要望がある。
【０００４】
そこで、例えば、第１の直線に沿って配置される複数のスピーカからなる第１のスピーカアレイと、第１の直線とは別の第２の直線に沿って配置される複数のスピーカからなる第２のスピーカアレイと、を備える音響システムにおいて、目標位置と複数のスピーカのそれぞれとの距離に基づいて遅延時間を算出し、そして、複数のスピーカのそれぞれに対し当該算出された遅延時間を補正した音声信号を供給することによって、点状に限定された範囲にいる視聴者に対してのみ、音声を供給することができる音響システム（例えば、特許文献４参照）や、複数のスピーカを配列して構成されるスピーカアレイにおいて、設定された方向に基づいて、各スピーカに供給する信号の遅延量を設定してスピーカアレイから出力される音声ビーム方向を制御することによって、対象者のいる方向に向けて音声を出力することができるスピーカアレイ（例えば、特許文献５参照）などが提案された。
【特許文献１】特開平１１−１３６７９４号公報
【特許文献２】特開２００６−２０１３５号公報
【特許文献３】特開２０００−９２５７８号公報
【特許文献４】特開２００６−１４０７０号公報
【特許文献５】特開２００６−１８６７６７号公報
【発明の開示】
【発明が解決しようとする課題】
【０００５】
しかしながら、特許文献４及び５に開示された技術は、複数のスピーカを備える必要があるため構成が複雑であるとともに、スピーカ同士が別個独立であるため音のばらつきが大きいという問題がある。
【０００６】
また、特許文献１に開示された技術は、フラットな音圧を得るための技術であるため、スピーカから出力される音声に指向性を持たせたいという要望に応えることができない。
また、特許文献２に開示された技術は、全体の厚さを低減するための技術であり、さらに、特許文献２の平面スピーカは、ボイスコイルを構成する各ワイヤが１本で繋がっていてスピーカから出力される音声に指向性を持たせることができる構成でないため、スピーカから出力される音声に指向性を持たせたいという要望に応えることができない。
また、特許文献３に開示された技術は、１つの振動板に複数のトランスデゥーサを備えることによって、１つの振動板に複数の振動点を構成しているため、構成が複雑であるという問題がある。
【０００７】
本発明の課題は、簡易な構成で、且つ、音のばらつきが小さい指向性を持った音声を出力することができる平面スピーカを提供することにある。
【課題を解決するための手段】
【０００８】
上記課題を解決するために、請求項１に記載の発明は、
平面状の振動膜と、
前記振動膜の一端部から当該一端部に対向する他端部の方向に沿って複数に区画されたエリア内に各々設けられた複数のプリント配線と、
前記振動膜に平行な向きに磁界を発生させる磁界発生部と、
所定の電流を前記複数のプリント配線のそれぞれに対して出力する電流出力部と、
前記電流出力部により出力された電流が前記複数のプリント配線のそれぞれに入力されるタイミングを、前記プリント配線毎に制御するタイミング制御手段と、
当該平面スピーカにより出力される音声の放射方向を指定する指定手段と、
前記指定手段により指定された放射方向に応じて、前記電流出力部により出力された電流が前記プリント配線に入力される際の遅延量を、前記プリント配線毎に設定する設定手段と
を備え、
前記タイミング制御手段は、当該平面スピーカにより出力される音声の放射方向が前記指定手段により指定された放射方向を向くように、前記電流出力部により前記複数のプリント配線のそれぞれに対して出力された各電流を、前記設定手段により設定された遅延量でそれぞれ遅延させて、前記複数のプリント配線のそれぞれに入力させることによって、前記電流出力部により出力された電流が前記プリント配線に入力されるタイミングを、前記プリント配線毎に制御することを特徴とする。
【０００９】
請求項２に記載の発明は、
平面状の振動膜と、
前記振動膜の一端部から当該一端部に対向する他端部の方向に沿って複数に区画されたエリア内に各々設けられた複数の配線部と、
前記振動膜に平行な向きに磁界を発生させる磁界発生部と、
所定の電流を前記複数の配線部のそれぞれに対して出力する電流出力部と、
前記電流出力部により出力された電流が前記複数の配線部のそれぞれに入力されるタイミングを、前記配線部毎に制御するタイミング制御手段と、
を備えることを特徴とする。
【００１０】
請求項３に記載の発明は、
請求項２に記載の平面スピーカにおいて、
当該平面スピーカにより出力される音声の放射方向を指定する指定手段を備え、
前記タイミング制御手段は、当該平面スピーカにより出力される音声の放射方向が前記指定手段により指定された放射方向を向くように、前記電流出力部により出力された電流が前記配線部に入力されるタイミングを、前記配線部毎に制御することを特徴とする。
【００１１】
請求項４に記載の発明は、
請求項３に記載の平面スピーカにおいて、
前記指定手段により指定された放射方向に応じて、前記電流出力部により出力された電流が前記配線部に入力される際の遅延量を、前記配線部毎に設定する設定手段を備え、
前記タイミング制御手段は、前記電流出力部により前記複数の配線部のそれぞれに対して出力された各電流を、前記設定手段により設定された遅延量でそれぞれ遅延させて、前記複数の配線部のそれぞれに入力させることによって、前記電流出力部により出力された電流が前記配線部に入力されるタイミングを、前記配線部毎に制御することを特徴とする。
【発明の効果】
【００１２】
請求項１に記載の発明によれば、平面状の振動膜と、振動膜の一端部から当該一端部に対向する他端部の方向に沿って複数に区画されたエリア内に各々設けられた複数のプリント配線と、振動膜に平行な向きに磁界を発生させる磁界発生部と、所定の電流を複数のプリント配線のそれぞれに対して出力する電流出力部と、を備えており、タイミング制御手段によって、電流出力部により出力された電流が複数のプリント配線のそれぞれに入力されるタイミングを、プリント配線毎に制御することができる。
すなわち、１枚の振動膜を区画して各々にプリント配線を設け、電流出力部により出力された電流が複数のプリント配線のそれぞれに入力されるタイミングを制御することによって、指向性を持った音声を出力するよう構成しているため、簡易な構成で指向性を持った音声を出力することができる。
また、１枚の振動膜が振動することによって音声が出力されるため、複数のスピーカを並べて配置するものに比べて音のばらつきが小さい指向性を持った音声を出力することができる。
【００１３】
また、平面スピーカにより出力される音声の放射方向を指定する指定手段を備えており、タイミング制御手段によって、平面スピーカにより出力される音声の放射方向が指定手段により指定された放射方向を向くように、電流出力部により出力された電流がプリント配線に入力されるタイミングを、プリント配線毎に制御することができる。
すなわち、ユーザが指定したユーザ所望の方向に音声を放射することができるため、利便性が高い。
【００１４】
また、指定手段により指定された放射方向に応じて、電流出力部により出力された電流がプリント配線に入力される際の遅延量を、プリント配線毎に設定する設定手段を備えており、タイミング制御手段によって、電流出力部により複数のプリント配線のそれぞれに対して出力された各電流を、設定手段により設定された遅延量でそれぞれ遅延させて、複数のプリント配線のそれぞれに入力させることによって、電流出力部により出力された電流がプリント配線に入力されるタイミングを、プリント配線毎に制御することができる。
すなわち、電流出力部により複数のプリント配線のそれぞれに対して出力された各電流を、設定手段により設定された遅延量でそれぞれ遅延させて、複数のプリント配線のそれぞれに入力させることによって、指向性を持った音声を出力するよう構成しているため、より一層簡易な構成で指向性を持った音声を出力することができる。
【００１５】
請求項２に記載の発明によれば、平面状の振動膜と、振動膜の一端部から当該一端部に対向する他端部の方向に沿って複数に区画されたエリア内に各々設けられた配線部と、振動膜に平行な向きに磁界を発生させる磁界発生部と、所定の電流を複数の配線部のそれぞれに対して出力する電流出力部と、を備えており、タイミング制御手段によって、電流出力部により出力された電流が複数の配線部のそれぞれに入力されるタイミングを、配線部毎に制御することができる。
すなわち、１枚の振動膜を区画して各々に配線部を設け、電流出力部により出力された電流が複数の配線部のそれぞれに入力されるタイミングを制御することによって、指向性を持った音声を出力するよう構成しているため、簡易な構成で指向性を持った音声を出力することができる。
また、１枚の振動膜が振動することによって音声が出力されるため、複数のスピーカを並べて配置するものに比べて音のばらつきが小さい指向性を持った音声を出力することができる。
【００１６】
請求項３に記載の発明によれば、請求項２に記載の発明と同様の効果が得られることは無論のこと、平面スピーカにより出力される音声の放射方向を指定する指定手段を備えており、タイミング制御手段によって、平面スピーカにより出力される音声の放射方向が指定手段により指定された放射方向を向くように、電流出力部により出力された電流が配線部に入力されるタイミングを、配線部毎に制御することができる。
すなわち、ユーザが指定したユーザ所望の方向に音声を放射することができるため、利便性が高い。
【００１７】
請求項４に記載の発明によれば、請求項３に記載の発明と同様の効果が得られることは無論のこと、指定手段により指定された放射方向に応じて、電流出力部により出力された電流が配線部に入力される際の遅延量を、配線部毎に設定する設定手段を備えており、タイミング制御手段によって、電流出力部により複数の配線部のそれぞれに対して出力された各電流を、設定手段により設定された遅延量でそれぞれ遅延させて、複数の配線部のそれぞれに入力させることによって、電流出力部により出力された電流が配線部に入力されるタイミングを、配線部毎に制御することができる。
すなわち、電流出力部により複数の配線部のそれぞれに対して出力された各電流を、設定手段により設定された遅延量でそれぞれ遅延させて、複数の配線部のそれぞれに入力させることによって、指向性を持った音声を出力するよう構成しているため、より一層簡易な構成で指向性を持った音声を出力することができる。
【発明を実施するための最良の形態】
【００１８】
以下、図を参照して、本発明にかかる平面スピーカの最良の形態を詳細に説明する。なお、発明の範囲は、図示例に限定されない。
【００１９】
平面スピーカ１は、例えば、平面状の振動膜２１を振動させることによって音声Ｓを出力するスピーカである。
具体的には、平面スピーカ１は、例えば、図１に示すように、音声出力部２と、電流出力部３と、遅延回路４と、増幅器５と、操作部６と、制御部７と、などを備えて構成される。各部は、バス１０によって接続されている。
【００２０】
以下の説明では、例えば、図１に示すように、平面スピーカ１の振動膜２１に直交する方向を前後方向とし、振動膜２１に平行な方向であり且つ互いに直交する方向を上下方向及び左右方向とする。
【００２１】
音声出力部２は、例えば、図１に示すように、平面状の振動膜２１と、振動膜２１に設けられた配線部としての複数のプリント配線２２と、振動膜２１の前面側及び後面側に配置された磁界発生部２３と、などを備えて構成される。
【００２２】
振動膜２１は、例えば、略長方形状の板状部材であり、例えば、樹脂などの適宜好適な材料から形成されている。
振動膜２１は、例えば、図１及び図２に示すように、振動膜２１の一端部（例えば、左端部）から当該一端部に対向する他端部（例えば、右端部）の方向に沿って複数（例えば、６つ）のエリア（例えば、左側からエリアＡ１〜Ａ６）に区画されている。
【００２３】
複数のプリント配線２２は、例えば、振動膜２１に適宜好適な導電物質を付着させて形成されており、例えば、図１及び図２に示すように、振動膜２１のエリアＡ１〜Ａ６内に、例えば、上下方向に沿って、各々設けられている。
【００２４】
磁界発生部２３は、例えば、図１及び図３に示すように、振動膜２１の前面側及び後面側において、振動膜２１に平行な向き（例えば、右向き）に磁界を発生させる。
具体的には、磁界発生部２３は、例えば、Ｓ極の永久磁石とＮ極の永久磁石とにより構成されており、これらの永久磁石は、例えば、図３に示すように、左右方向に隣り合う永久磁石同士は極性が互いに異なるように、且つ、振動膜２１を挟んで前後方向に対向する永久磁石同士は極性が互いに同じになるように、振動膜２１の前面側及び後面側に配置されている。
【００２５】
なお、磁界発生部２３は、振動膜２１に平行な向きに磁界を発生させることができるのであれば、永久磁石により構成されていなくてもよく、例えば、電磁石により構成されていてもよい。
また、磁界発生部２３は、振動膜２１に平行な向きに磁界を発生させることができるのであれば、振動膜２１の前面側及び後面側において磁界を発生させる必要はなく、例えば、振動膜２１の前面側又は後面側において磁界を発生させてもよい。
【００２６】
電流出力部３は、制御部７から入力される制御信号に従って、例えば、所定の音声信号である所定の電流（交流電流）を、遅延回路４及び増幅器５を介して、複数のプリント配線２２のそれぞれに対して出力する。
【００２７】
電流出力部３により、振動膜２１のエリアＡ１〜Ａ６内の各々に上下方向に沿って設けられた複数のプリント配線２２のそれぞれに対して交流電流が出力されると、振動膜２１のエリアＡ１〜Ａ６のそれぞれは、磁界発生部２３により右向きの磁界が発生されているため、当該磁界から前向き及び後向きの力を受けることになる。これにより、振動膜２１のエリアＡ１〜Ａ６のそれぞれは前後方向に振動し、音声出力部２から音声Ｓが出力されることになる。
【００２８】
遅延回路４は、制御部７から入力される制御信号に従って、例えば、電流出力部３により出力された交流電流が複数のプリント配線２２のそれぞれに入力されるタイミングを遅延させる。
具体的には、遅延回路４は、例えば、図１に示すように、第１遅延回路４１と、第２遅延回路４２と、第３遅延回路４３と、第４遅延回路４４と、第５遅延回路４５と、第６遅延回路４６と、などから構成される。
【００２９】
第１遅延回路４１は、例えば、電流出力部３により出力された交流電流が振動膜２１のエリアＡ１に設けられたプリント配線２２に入力されるタイミングを遅延させる。
【００３０】
また、第２遅延回路４２は、例えば、電流出力部３により出力された交流電流が振動膜２１のエリアＡ２に設けられたプリント配線２２に入力されるタイミングを遅延させる。
【００３１】
また、第３遅延回路４３は、例えば、電流出力部３により出力された交流電流が振動膜２１のエリアＡ３に設けられたプリント配線２２に入力されるタイミングを遅延させる。
【００３２】
また、第４遅延回路４４は、例えば、電流出力部３により出力された交流電流が振動膜２１のエリアＡ４に設けられたプリント配線２２に入力されるタイミングを遅延させる。
【００３３】
また、第５遅延回路４５は、例えば、電流出力部３により出力された交流電流が振動膜２１のエリアＡ５に設けられたプリント配線２２に入力されるタイミングを遅延させる。
【００３４】
また、第６遅延回路４６は、例えば、電流出力部３により出力された交流電流が振動膜２１のエリアＡ６に設けられたプリント配線２２に入力されるタイミングを遅延させる。
【００３５】
増幅器５は、制御部７から入力される制御信号に従って、例えば、遅延回路４により出力された交流電流を増幅して、複数のプリント配線２２のそれぞれに対して個別に出力する。
具体的には、増幅器５は、例えば、図１に示すように、第１増幅器５１と、第２増幅器５２と、第３増幅器５３と、第４増幅器５４と、第５増幅器５５と、第６増幅器５６と、などから構成される。
【００３６】
第１増幅器５１は、例えば、第１遅延回路４１により出力された交流電流を増幅して、振動膜２１のエリアＡ１に設けられたプリント配線２２の上端に出力する。そして、第１増幅器５１によりプリント配線２２の上端に出力された交流電流は、プリント配線２２の下端から第１増幅器５１に出力される。
【００３７】
また、第２増幅器５２は、例えば、第２遅延回路４２により出力された交流電流を増幅して、振動膜２１のエリアＡ２に設けられたプリント配線２２の下端に出力する。そして、第２増幅器５２によりプリント配線２２の下端に出力された交流電流は、プリント配線２２の上端から第２増幅器５２に出力される。
【００３８】
また、第３増幅器５３は、例えば、第３遅延回路４３により出力された交流電流を増幅して、振動膜２１のエリアＡ３に設けられたプリント配線２２の上端に出力する。そして、第３増幅器５３によりプリント配線２２の上端に出力された交流電流は、プリント配線２２の下端から第３増幅器５３に出力される。
【００３９】
また、第４増幅器５４は、例えば、第４遅延回路４４により出力された交流電流を増幅して、振動膜２１のエリアＡ４に設けられたプリント配線２２の下端に出力する。そして、第４増幅器５４によりプリント配線２２の下端に出力された交流電流は、プリント配線２２の上端から第４増幅器５４に出力される。
【００４０】
また、第５増幅器５５は、例えば、第５遅延回路４５により出力された交流電流を増幅して、振動膜２１のエリアＡ５に設けられたプリント配線２２の上端に出力する。そして、第５増幅器５５によりプリント配線２２の上端に出力された交流電流は、プリント配線２２の下端から第５増幅器５５に出力される。
【００４１】
また、第６増幅器５６は、例えば、第６遅延回路４６により出力された交流電流を増幅して、振動膜２１のエリアＡ６に設けられたプリント配線２２の下端に出力する。そして、第６増幅器５６によりプリント配線２２の下端に出力された交流電流は、プリント配線２２の上端から第６増幅器５６に出力される。
【００４２】
操作部６は、例えば、平面スピーカ１の外面に備えられた操作ボタン（図示省略）や、平面スピーカ１用のリモートコントローラ（図示省略）及び当該リモートコントローラと通信可能なリモコン受信部（図示省略）などから構成されており、例えば、ユーザにより操作されると、当該操作に伴う各種信号を制御部７に出力する。
【００４３】
具体的には、操作部６は、例えば、指定手段として、ユーザが平面スピーカ１により出力される音声Ｓの放射方向を指定する際に操作される。
より具体的には、ユーザは、操作部６を操作して、平面スピーカ１により出力される音声Ｓの放射方向を、例えば、「平面スピーカ１の正面」、「平面スピーカ１の前方右側」、「平面スピーカ１の前方左側」、「平面スピーカ１の前方全域」などのように指定する。
【００４４】
制御部７は、例えば、図１に示すように、ＣＰＵ（Central Processing Unit）７１と、ＲＡＭ（Random Access Memory）７２と、記憶部７３と、などを備えている。
【００４５】
ＣＰＵ７１は、記憶部７３に記憶された平面スピーカ１用の各種処理プログラムに従って各種の制御動作を行う。
【００４６】
ＲＡＭ７２は、ＣＰＵ７１によって実行される処理プログラムなどを展開するためのプログラム格納領域や、入力データや上記処理プログラムが実行される際に生じる処理結果などを格納するデータ格納領域などを備える。
【００４７】
記憶部７３は、平面スピーカ１で実行可能なシステムプログラム、当該システムプログラムで実行可能な各種処理プログラム、これら各種処理プログラムを実行する際に使用されるデータ、ＣＰＵ７１によって演算処理された処理結果のデータなどを記憶する。なお、プログラムは、コンピュータが読み取り可能なプログラムコードの形で記憶部７３に記憶されている。
【００４８】
具体的には、記憶部７３は、例えば、設定プログラム７３ａと、タイミング制御プログラム７３ｂと、などを記憶している。
【００４９】
設定プログラム７３ａは、例えば、ユーザによる操作部６の操作により指定された放射方向に応じて、電流出力部３により出力された交流電流がプリント配線２２に入力される際の遅延量を、プリント配線２２毎に設定する機能を、ＣＰＵ７１に実現させる。
ＣＰＵ７１は、かかる設定プログラム７３ａを実行することによって、設定手段として機能する。
【００５０】
タイミング制御プログラム７３ｂは、例えば、遅延回路４に制御信号を入力して、例えば、電流出力部３により出力された交流電流が複数のプリント配線２２のそれぞれに入力されるタイミングを、プリント配線２２毎に制御させる機能を、ＣＰＵ７１に実現させる。
【００５１】
具体的には、ＣＰＵ７１は、例えば、遅延回路４に制御信号を入力して、平面スピーカ１により出力される音声Ｓの放射方向がユーザによる操作部６の操作により指定された放射方向を向くように、電流出力部３により複数のプリント配線２２のそれぞれに対して出力された各交流電流を、設定プログラム７３ａを実行したＣＰＵ７１により設定された遅延量でそれぞれ遅延させて、複数のプリント配線２２のそれぞれに入力させることによって、電流出力部３により出力された交流電流がプリント配線２２に入力されるタイミングを、プリント配線２２毎に制御させる。
【００５２】
なお、タイミング制御手段は、例えば、遅延回路４と、タイミング制御プログラム７３ｂを実行したＣＰＵ７１と、などから構成される。
【００５３】
ここで、平面スピーカ１により出力される音声Ｓについて説明する。
例えば、ユーザによる操作部６の操作によって、平面スピーカ１により出力される音声Ｓの放射方向として「平面スピーカ１の正面」が指定されると、設定プログラム７３ａを実行したＣＰＵ７１によって、電流出力部３により出力された交流電流がプリント配線２２に入力される際のタイミングが、エリアＡ１内に設けられたプリント配線２２」と、「エリアＡ２内に設けられたプリント配線２２」と、「エリアＡ３内に設けられたプリント配線２２」と、「エリアＡ４内に設けられたプリント配線２２」と、「エリアＡ５内に設けられたプリント配線２２」と、「エリアＡ６内に設けられたプリント配線２２」と、のそれぞれで同一になるように遅延量が設定され、タイミング制御プログラム７３ｂを実行したＣＰＵ７１により制御された遅延回路４によって、電流出力部３により複数のプリント配線２２のそれぞれに対して出力された各交流電流が、当該設定された遅延量でそれぞれ遅延されて、複数のプリント配線２２のそれぞれに入力される。したがって、この場合、平面スピーカ１により出力される音声Ｓは、ホイヘンスの原理に従って、例えば、図４に示すように、振動膜２１（平面スピーカ１）に対して平行に放射される。すなわち、この場合、平面スピーカ１から、平面スピーカ１の正面方向に指向性を持った音声が出力される。
【００５４】
また、例えば、ユーザによる操作部６の操作によって、平面スピーカ１により出力される音声Ｓの放射方向として「平面スピーカ１の前方右側」が指定されると、設定プログラム７３ａを実行したＣＰＵ７１によって、電流出力部３により出力された交流電流がプリント配線２２に入力される際のタイミングが、「エリアＡ１内に設けられたプリント配線２２」→「エリアＡ２内に設けられたプリント配線２２」→「エリアＡ３内に設けられたプリント配線２２」→「エリアＡ４内に設けられたプリント配線２２」→「エリアＡ５内に設けられたプリント配線２２」→「エリアＡ６内に設けられたプリント配線２２」の順となるように遅延量が設定され、タイミング制御プログラム７３ｂを実行したＣＰＵ７１により制御された遅延回路４によって、電流出力部３により複数のプリント配線２２のそれぞれに対して出力された各交流電流が、当該設定された遅延量でそれぞれ遅延されて、複数のプリント配線２２のそれぞれに入力される。したがって、この場合、平面スピーカ１により出力される音声Ｓは、ホイヘンスの原理に従って、例えば、図５に示すように、振動膜２１（平面スピーカ１）の前方右側に向けて放射される。すなわち、この場合、平面スピーカ１からは、平面スピーカ１の前方右側方向に指向性を持った音声が出力される。
【００５５】
また、例えば、ユーザによる操作部６の操作によって、平面スピーカ１により出力される音声Ｓの放射方向として「平面スピーカ１の前方左側」が指定されると、設定プログラム７３ａを実行したＣＰＵ７１によって、電流出力部３により出力された交流電流がプリント配線２２に入力される際のタイミングが、「エリアＡ６内に設けられたプリント配線２２」→「エリアＡ５内に設けられたプリント配線２２」→「エリアＡ４内に設けられたプリント配線２２」→「エリアＡ３内に設けられたプリント配線２２」→「エリアＡ２内に設けられたプリント配線２２」→「エリアＡ１内に設けられたプリント配線２２」の順となるように遅延量が設定され、タイミング制御プログラム７３ｂを実行したＣＰＵ７１により制御された遅延回路４によって、電流出力部３により複数のプリント配線２２のそれぞれに対して出力された各交流電流が、当該設定された遅延量でそれぞれ遅延されて、複数のプリント配線２２のそれぞれに入力される。したがって、この場合、平面スピーカ１により出力される音声Ｓは、ホイヘンスの原理に従って、例えば、図６に示すように、振動膜２１（平面スピーカ１）の前方左側に向けて放射される。すなわち、この場合、平面スピーカ１からは、平面スピーカ１の前方左側方向に指向性を持った音声が出力される。
【００５６】
また、例えば、ユーザによる操作部６の操作によって、平面スピーカ１により出力される音声Ｓの放射方向として「平面スピーカ１の前方全域」が指定されると、設定プログラム７３ａを実行したＣＰＵ７１によって、電流出力部３により出力された交流電流がプリント配線２２に入力される際のタイミングが、「エリアＡ３内に設けられたプリント配線２２」及び「エリアＡ４内に設けられたプリント配線２２」→「エリアＡ２内に設けられたプリント配線２２」及び「エリアＡ５内に設けられたプリント配線２２」→「エリアＡ１内に設けられたプリント配線２２」及び「エリアＡ６内に設けられたプリント配線２２」の順となるように設定され、タイミング制御プログラム７３ｂを実行したＣＰＵ７１により制御された遅延回路４によって、電流出力部３により複数のプリント配線２２のそれぞれに対して出力された各交流電流が、当該設定された遅延量でそれぞれ遅延されて、複数のプリント配線２２のそれぞれに入力される。したがって、この場合、平面スピーカ１により出力される音声Ｓは、ホイヘンスの原理に従って、例えば、図７に示すように、振動膜２１（平面スピーカ１）の前方全域に向けて放射される。すなわち、この場合、平面スピーカ１からは、平面スピーカ１の前方全域方向に指向性を持った音声が出力される。
【００５７】
以上説明した本発明の平面スピーカ１によれば、平面状の振動膜２１と、振動膜２１の一端部（例えば、左端部）から当該一端部に対向する他端部（例えば、右端部）の方向に沿って複数に区画されたエリア（エリアＡ１〜Ａ６）内に各々設けられた複数のプリント配線２２と、振動膜２１に平行な向きに磁界を発生させる磁界発生部２３と、所定の交流電流を複数のプリント配線２２のそれぞれに対して出力する電流出力部３と、を備えており、タイミング制御プログラム７３ｂを実行したＣＰＵ７１により制御された遅延回路４によって、電流出力部３により出力された交流電流が複数のプリント配線２２のそれぞれに入力されるタイミングを、プリント配線２２毎に制御することができる。
すなわち、１枚の振動膜２１を区画して各々にプリント配線２２を設け、電流出力部３により出力された交流電流が複数のプリント配線２２のそれぞれに入力されるタイミングを制御することによって、指向性を持った音声Ｓを出力するよう構成しているため、簡易な構成で指向性を持った音声Ｓを出力することができる。
また、１枚の振動膜２１が振動することによって音声Ｓが出力されるため、複数のスピーカを並べて配置するものに比べて音のばらつきが小さい指向性を持った音声Ｓを出力することができる。
【００５８】
また、ユーザが平面スピーカ１により出力される音声Ｓの放射方向を指定する際に操作する操作部６を備えており、タイミング制御プログラム７３ｂを実行したＣＰＵ７１により制御された遅延回路４によって、平面スピーカ１により出力される音声Ｓの放射方向がユーザによる操作部６の操作により指定された放射方向を向くように、電流出力部３により出力された交流電流がプリント配線２２に入力されるタイミングを、プリント配線２２毎に制御することができる。
すなわち、ユーザが指定したユーザ所望の方向に音声Ｓを放射することができるため、利便性が高い。
【００５９】
また、ユーザによる操作部６の操作により指定された放射方向に応じて、電流出力部３により出力された交流電流がプリント配線２２に入力される際の遅延量を、プリント配線２２毎に設定する設定プログラム７３ａを実行したＣＰＵ７１を備えており、タイミング制御プログラム７３ｂを実行したＣＰＵ７１により制御された遅延回路４によって、電流出力部３により複数のプリント配線２２のそれぞれに対して出力された各交流電流を、設定プログラム７３ａを実行したＣＰＵ７１により設定された遅延量でそれぞれ遅延させて、複数のプリント配線２２のそれぞれに入力させることによって、電流出力部３により出力された交流電流がプリント配線２２に入力されるタイミングを、プリント配線２２毎に制御することができる。
すなわち、電流出力部３により複数のプリント配線２２のそれぞれに対して出力された各交流電流を、設定プログラム７３ａを実行したＣＰＵ７１により設定された遅延量でそれぞれ遅延させて、複数のプリント配線２２のそれぞれに入力させることによって、指向性を持った音声Ｓを出力するよう構成しているため、より一層簡易な構成で指向性を持った音声Ｓを出力することができる。
【００６０】
なお、本発明は、上記した実施の形態のものに限るものではなく、その要旨を逸脱しない範囲で適宜変更可能である。
【００６１】
振動膜２１は、６つのエリア（エリアＡ１〜Ａ６）に区画されているとしたが、エリアの個数は複数であれば任意である。
【００６２】
また、音声出力部２は、例えば、振動膜２１の左端部と右端部とを接合することによって円筒形状に形成されていてもよい。この場合、３６０度全域に音声Ｓを放射することができる。
【００６３】
また、音声出力部２は、例えば、図８に示す音声出力部２Ｃであってもよい。
すなわち、配線部は、振動膜２１上に付着されたプリント配線２２でなく、２枚の振動膜２１Ｃの間に挟まれた導線２２Ｃであってもよい。
【図面の簡単な説明】
【００６４】
【図１】本発明にかかる平面スピーカの要部構成を示す図である。
【図２】本発明にかかる平面スピーカに備えられた、プリント配線が設けられた振動板を示す斜視図である。
【図３】本発明にかかる平面スピーカに備えられた音声出力部の平面断面図である。
【図４】本発明にかかる平面スピーカに備えられた音声出力部の平面断面図であって、平面スピーカの正面方向に指向性を持った音声が出力された状態を示す図である。
【図５】本発明にかかる平面スピーカに備えられた音声出力部の平面断面図であって、平面スピーカの前方右側方向に指向性を持った音声が出力された状態を示す図である。
【図６】本発明にかかる平面スピーカに備えられた音声出力部の平面断面図であって、平面スピーカの前方左側方向に指向性を持った音声が出力された状態を示す図である。
【図７】本発明にかかる平面スピーカに備えられた音声出力部の平面断面図であって、平面スピーカの前方全域方向に指向性を持った音声が出力された状態を示す図である。
【図８】本発明にかかる平面スピーカに備えられた音声出力部の変形例を示す平面断面図である。
【符号の説明】
【００６５】
１  平面スピーカ
３  電流出力部
４  遅延回路（タイミング制御手段）
６  操作部（指定手段）
２１  振動膜
２２  プリント配線（配線部）
２３  磁界発生部
７１  ＣＰＵ（設定手段、タイミング制御手段）
７３ａ  設定プログラム（設定手段）
７３ｂ  タイミング制御プログラム（タイミング制御手段）
Ａ１，Ａ２，Ａ３，Ａ４，Ａ５，Ａ６  エリア
Ｓ  音声
【図１】
2008124856.tif 000003
【図２】
2008124856.tif 000004
【図３】
2008124856.tif 000005
【図４】
2008124856.tif 000006
【図５】
2008124856.tif 000007
【図６】
2008124856.tif 000008
【図７】
2008124856.tif 000009
【図８】
2008124856.tif 000010